(57)【要約】本発明は、射出成形の成形品（６）、特にパリソンのための型に関する。型は、台板（２）、及びスライド（４）を有するストリッパープレート（３）を備えている。多数の分割可能な雄型コーン（５、５’）は、スライド（４）に備えられている。パリソン（６）を取り出すために、雄型コーン（５、５’）は、傾斜したドラッグ部材の代わりに液圧式動力伝達装置（１２）を使用して完全に開かれる。
2006517474.tif 000002
【特許請求の範囲】
【請求項１】
成形品、特にＰＥＴ予備成形品（６）の射出成形型のためのマルチパートの雄型プレート（１）であって、
台板（２）と、
スライド（４）を有するストリッパープレート（３）とを備え、
前記スライド（４）には、多数の分割可能な雄型コーン（５、５’）と、前記雄型コーン（５、５’）を完全に開くための少なくとも１つの液圧式動力伝達装置（１２）とが備えられていることを特徴とする雄型プレート。
【請求項２】
前記液圧式動力伝達装置（１２）が前記スライド（４）に固定され、前記ストリッパープレート（３）に支持されていることを特徴とする請求項１に記載の雄型プレート。
【請求項３】
前記液圧式動力伝達装置（１２）が引き戻しばねと協働することを特徴とする請求項１に記載の雄型プレート。
【請求項４】
前記液圧式動力伝達装置（１２）が前記雄型コーン（５、５’）を開くための第２の液圧式動力伝達装置（１２）と協働することを特徴とする請求項１に記載の雄型プレート。
【請求項５】
傾斜したドラッグ部材（７）が前記台板（２）と固定され、閉じている位置（Ａ）と取り出し位置（Ｂ）との間の位置（Ｃ）において、前記雄型コーン（５、５’）を分離ストローク（ｈ）だけ開くように前記スライド（４）を作動させることを特徴とする請求項１に記載の雄型プレート。
【発明の詳細な説明】
【技術分野】
【０００１】
本発明は、請求項１の前提部分に係る成形品の射出成形型のためのマルチパートの雄型プレートに関する。
【背景技術】
【０００２】
例えば、欧州特許出願公開第０６４７５１４号明細書に開示されているような雄型プレートは、射出成形型に使用され、台板、及びスライドを有するストリッパープレートを備えている。スライドは、分割した多数の雄型コーンを支持している。そのような型を開く際、マルチパートの雄型プレートは、新たに射出成形した半加工品、特に予備成形品を露出する又は見えるようにするために、即ち、雌型のモールド又はダイから半加工品を抜くために後退させられる。例えば、欧州特許出願公開第０９０７４８８号明細書に記載のように、予備成形品を引き出すために、ダイと雄型プレートとの間に備えられた離型装置がある。予備成形品を取り出すために、スライドを備えたストリッパープレートは、台板から独立し、スライドは、傾斜したドラッグ部材に沿って案内される。これによって、それぞれの雄型コーンが開かれ、予備成形品は、離型装置へ移動することができる。このため、予備成形品を開いた雄型コーンから取り出すために加圧空気が使用される。予備成形品の長さは、通常８から１２センチメートルであり、それぞれの雄型コーンが完全に開く前に、予備成形品を離型装置に挿入することが可能である。これは、雄型コーンから離型装置への安定した搬送を確実にする。
【発明の開示】
【発明が解決しようとする課題】
【０００３】
しかしながら、特に短い予備成形品、即ち、約３から５センチメートルの長さを有する予備成形品を取り出すときには、離型装置の離型スリーブが予備成形品の外側端部に十分に近づくことができない、或いは、分割可能な雄型コーンが比較的長い、例えば約５センチメートル以上の型開き距離を有しているので、離型装置の各離型スリーブに安定して取り入れる又は捕捉することが確実ではない。
【０００４】
そこで、本発明の目的は、比較的短い予備成形品を確実な方法で取り出すことができる装置を提供することにある。
【課題を解決するための手段】
【０００５】
この目的は、請求項１の特徴を有する雄型プレートを用いた、特に、液圧式動力伝達装置によってスライドが作動可能である雄型プレートを用いた本発明によって達成される。
【０００６】
本発明に係る雄型プレートによって、新たに射出された予備成形品が、離型装置の離型スリーブに到達するまで保持され、又は押えておかれ、安全にその中に案内される。そのときになって初めて、傾斜したドラッグ部材による代わりに、液圧式動力伝達装置を利用した本発明によって雄型コーンは完全に開かれ、予備成形品は、確実に離型スリーブに吸引されることができる。当然、その装置のできるだけ短いサイクルタイムを維持するために、雄型コーンの型開きができるだけ早く始められる。
【０００７】
そのような雄型プレートの利点は、当業者にとってすぐにはっきりと理解され、雄型コーンを開くために必要な型開き距離を著しく短くしていることがわかることである。他の利点は、従来使用されていた加圧空気が、予備成形品を取り出すためにもはや必要とされず、結果として、この加圧空気により引き起こされる予備成形品の汚染を防止することができるということがわかることである。
【０００８】
本発明の他の有利な実施形態は、従属クレームの特徴により開示される。
【０００９】
最初の好ましい実施形態において、液圧式動力伝達装置は、スライドに取り付け又は固定され、ストリッパープレートに支持されている。当然、液圧式動力伝達装置は、また、ストリッパープレートに固定することができ、スライドはそこから動かすことができる。
【００１０】
好ましい実施形態において、液圧式動力伝達装置は、雄型コーンを完全に開くために働き、開いた雄型コーンを再び閉じるための引き戻しばねを備えている。当然、熟練者は、ばね力によって雄型コーンを開くことができ、液圧式動力伝達装置によってそれらを閉じることができる。好適に、傾斜したドラッグ部材は、分離位置と取り出し位置との間の位置で、段又は隆起を備え、そしてそれは、スライドを分離ストロークだけずらす。雄型コーンが開かれたとき、予備成形品が、半分の雄型コーンにくっついたままになることを防止するために、１ｍｍより小さいこの分離ストロークによって、予備成形品は、雄型コーンのそれぞれから単に離脱される。
【００１１】
下記において本発明は、例示的な実施形態及び図面により詳細に記載される。
【発明を実施するための最良の形態】
【００１２】
図１のFig.１は、台板２、ストリッパープレート３、及びスライド４を備える、従来型のマルチパートの雄型プレート１を示す。このスライド４は、それぞれ分割可能な雄型コーン５、５’を移動させる。型を開くとき、ダイから予備成形品６を取り出すために完全な雄型プレートが後退させられる（図示せず）。後続の工程において、ストリッパープレート３は、分離位置Ａから取り出し位置Ｂへ移動される。これにより、スライド４は、台板２に強固に取り付けられた、傾斜したドラッグ部材７に沿って移動する。ドラッグ部材７により、型開き距離ｓが規定される。これにより、雄型コーンは完全に開かれる。完全に開いた雄型コーンは、参照番号５’によって示されている。図１は、雄型コーン５が開いているとき、予備成形品６が確実に保持されておらず、雄型コーン５’の取り出し位置Ｂにおいて、予備成形品が傾くことがあるため、取り出すことができないということをわかりやすく示している。予備成形品６を取り出すために、加圧空気１１が、従来技術であるこの装置の開いた雄型コーン５’の中に導入される。この加圧空気は、通常、ほこり又は油の粒子を運び、新たに射出された予備成形品を汚す。更に、図１は、予備成形品がうまく取り出された場合、予備成形品がストリッパープレート３が後退する間に閉じていく雄型コーン５’によって再びつかまれて離型スリーブ１０から抜き出されるので、取り出し位置Ｂにおいて雄型コーン５’、並びに、離型板９及び離型スリーブ１０を有する離型装置８のそれぞれを互いに近接させることができないということをわかりやすく示している。
【００１３】
図１のFig.２は、取り出し位置Ｂにおける開いた雄型コーン５’と共に、分離位置Ａにおける分割可能な雄型コーン５を有する、本発明に係る雄型プレート１の配置を示している。台板２は、側部に配置された傾斜したドラッグ部材７を有しており、このドラッグ部品７は、位置Ｃにおいてのみ分離ストロークｈを生じさせる段又は隆起を有している。雄型コーン５が完全に開いている間に、予備成形品が雄型コーン５に保持されたままにならないようにすることを確実にするために、この分離ストロークｈによって、予備成形品は、雄型コーンから単に緩められるか又は離脱される。スライド４は、ストリッパープレート３に移動可能に取り付けられ、分割可能な雄型コーン５を支持している。取り出し位置Ｂの領域において、雄型コーン５は、液圧式動力伝達装置１２によって開かれる。この実施形態において、液圧式動力伝達装置１２は、スライド４に固定され、ストリッパープレート３に支持されている。
【００１４】
図１のFig.２は、液圧式動力伝達装置を使用することによって、型開き距離ｓを著しく短くすることができ、その結果、雄型コーン５が完全に開く前に、予備成形品６を離型装置８の離型スリーブ１０の中に動かすことができる。更に、この型開き距離が短くされたことにより、完全に開いた雄型コーン５’に、離型装置８の離型板９、及び離型スリーブ１０を距離ｄだけより近づけることができる。これにより、特に短い予備成形品の安定した取り出しを確実に行うことができる。更に、予備成形品を移動させるための加圧空気の使用を不要にすることができ、それによって、関連する汚染を防止している。その後の工程において、好適に、雄型コーン５’は、スライド４と連結された引き戻しばねによって、閉じた位置に再び戻される。
【図面の簡単な説明】
【００１５】
【図１】Fig.１は、取り出し位置における従来技術の雄型プレートを示す。Fig.２は、取り出し位置における本発明に係る雄型プレートを示す。
2006517474.tif 000003
【手続補正書】
【提出日】平成16年9月4日(2004.9.4)
【手続補正１】
【補正対象書類名】特許請求の範囲
【補正対象項目名】全文
【補正方法】変更
【補正の内容】
【特許請求の範囲】
【請求項１】
成形品、特にＰＥＴ予備成形品（６）の射出成形型のためのマルチパートの雄型プレート（１）であって、
台板（２）と、
スライド（４）を有するストリッパープレート（３）とを備え、
前記スライド（４）には、多数の分割可能な雄型コーン（５、５’）と、前記雄型コーン（５、５’）を完全に開くための少なくとも１つの液圧式動力伝達装置（１２）とが備えられ、
前記液圧式動力伝達装置（１２）は、前記スライド（４）に固定され、前記ストリッパープレート（３）に支持されていることを特徴とする雄型プレート。
【請求項２】
前記液圧式動力伝達装置（１２）が引き戻しばねと協働することを特徴とする請求項１に記載の雄型プレート。
【請求項３】
前記液圧式動力伝達装置（１２）が前記雄型コーン（５、５’）を開くための第２の液圧式動力伝達装置（１２）と協働することを特徴とする請求項１に記載の雄型プレート。
【請求項４】
傾斜したドラッグ部材（７）が前記台板（２）と固定され、閉じている位置（Ａ）と取り出し位置（Ｂ）との間の位置（Ｃ）において、前記スライド（４）により前記雄型コーン（５、５’）を分離ストローク（ｈ）だけ開くことができるように前記スライド（４）が作動することを特徴とする請求項１に記載の雄型プレート。
【国際調査報告】
2006517474.tif 000004
2006517474.tif 000005
2006517474.tif 000006
2006517474.tif 000007
2006517474.tif 000008
2006517474.tif 000009